(57)【要約】【課題】  インクジェット記録装置において、反射型光学センサで記録媒体をスキャンし、スキャンしたAD値を乱数として使用する際、偏りの少ない質の良い乱数を作成すること。【解決手段】  発光ダイオードから発生する光を記録紙面に照射し、その反射光をフォトトランジスタで受光しながら走査キャリッジを動作させ、記録紙面のAD値をスキャンし、スキャンしたAD値の先頭値をAとし、その後の測定点がA以上かA未満かによって"0"、"1"を判定して２進Bit列を作成し、作成された２進Bit列を乱数として使用する。【選択図】  図１
2007133758.tif 000002
【特許請求の範囲】
【請求項１】
記録媒体の搬送方向である幅走査方向に配列された複数のインクジェット記録素子を有する記録ヘッドを前記搬送方向とは垂直である主走査方向に走査してデータを記録するシリアルスキャン型のインクジェット記録装置であって、
走査キャリッジ上に発光ダイオード、およびフォトトランジスタからなる反射型光学センサを有し、電源およびグランド間をフォトトランジスタと所定抵抗によって分圧し、その分圧値をA/Dコンバータで読み取ることを特徴とするインクジェット記録装置。
【請求項２】
請求項1に記載のインクジェット記録装置において、発光ダイオードから発生する光を記録紙面に照射し、その反射光をフォトトランジスタで受光しながら走査キャリッジを動作させ、記録紙面のAD値をスキャンすることを特徴とするインクジェット記録装置。
【請求項３】
請求項２に記載のインクジェット記録装置において、スキャンしたAD値の先頭値をAとし、その後の測定点がA以上かA未満かによって"0"、"1"を判定して２進Bit列を作成し、作成された２進Bit列を乱数として使用することを特徴とするインクジェット記録装置。
【発明の詳細な説明】
【技術分野】
【０００１】
インクジェット記録装置において、反射型光学センサで記録媒体をスキャンし、スキャンしたAD値を乱数として使用するインクジェット記録装置に関する。
【背景技術】
【０００２】
図１に反射型光学センサの反射光電流をAD値に変換する電気回路例を示す。図の１１は電源電圧を示し、ここでは+3.3Vであるものとする。図の１２は基準電位を示し、ここではグランド（0V）であるものとする。図の１３は走査キャリッジ上に配置される発光ダイオードで、そのアノードが前述の電源電圧１１に接続され、そのカソードが後述する発光ダイオード制限抵抗１４に接続される。図の１４は発光ダイオード制限抵抗を示し、発光ダイオードに流れる電流がある特定の電流となるよう調整する目的で接続されるものであり、その片方が前述の発光ダイオード１３のカソードに接続され、もう片方が前述の基準電位１２に接続される。図の１５は走査キャリッジ上に配置される、受けた光の量が多いほどたくさんの光電流を流す性質を持つフォトトランジスタで、そのコレクタが前述の電源電圧１１に接続され、そのエミッタが後述するフォトトランジスタ光電流検出抵抗１６に接続される。尚、フォトトランジスタ１５のエミッタと、後述するフォトトランジスタ光電流検出抵抗１６が接続される地点を点Aとする。図の１６は所定の抵抗値を持つフォトトランジスタ光電流検出抵抗を示し、フォトトランジスタ１５に流れる電流が大きければフォトトランジスタ光電流検出抵抗の電圧降下の原理によりって点Aの基準電圧からの電位差が大きくなり、フォトトランジスタ１５に流れる電流が小さければフォトトランジスタ光電流検出抵抗の電圧降下の原理によりって点Aの基準電圧からの電位差が小さくなる。このときの点Aの基準電圧からの電位差は下記のオームの式から計算することができる。
【０００３】
点Aの基準電位からの電位差(V)
＝  フォトトランジスタ２５に流れる電流(A) × フォトトランジスタ光電流検出抵抗値(Ω)
図の１８はA/Dコンバータを示し、入力１９のVRefが電源電圧１１に接続され、入力１０２のA/DInが点Aに接続され、入力１０１のGNDが前述の基準電位１２にそれぞれ接続される。A/Dコンバータは入力１０２のA/DInの電位をデジタルA/D数値データに変換する機能を持つ素子で、入力１０２のA/DInの電位が入力１０１のGNDと同電位の場合に最小の値（= 0）を示し、入力１０２のA/DInの電位が入力１９のVRefと同電位の場合に最大の値を示し、入力１０２のA/DInの電位が入力１０１のGNDと入力１９のVRefの中間電位ならその電位値に比例した値を示す機能を有する。この例では入力１０１のGNDを0Vとしているので、下記式で表される値を示すことになる。
【０００４】
デジタルA/D数値データ
＝  デジタルA/D数値データMax値  ×  点Aの基準電位からの電位差(V)  ÷  3.3(V)
上記のような電気回路で反射型光学センサの反射光電流をAD値に変換している。ここで測定されたAD値であるが、AD入力信号のノイズや測定対象物の表面のザラツキなどから、測定ごとに毎回若干異なった値がリードされる。この性質からAD入力値をM系列乱数の初期値として利用することが従来行なわれている。特開２０００−６６８７９号公報を参照。
【特許文献１】特開２０００−６６８７９号公報
【発明の開示】
【発明が解決しようとする課題】
【０００５】
上記のような方法でAD値を乱数生成に従来利用しているわけであるが、AD入力信号のノイズや測定対象物の表面のザラツキなどから、測定ごとに若干異なった値がリードされるものの、たとえば1000分割のADコンバータならば500〜600までの間でしか変化しないなど、生成される値に偏りが生じてしまうといった問題がある。
【課題を解決するための手段】
【０００６】
本発明は上記問題点を解決するものであり、発光ダイオードから発生する光を記録紙面に照射し、その反射光をフォトトランジスタで受光しながら走査キャリッジを動作させ、記録紙面のAD値をスキャンし、スキャンしたAD値の先頭値をAとし、その後の測定点がA以上かA未満かによって"0"、"1"を判定して２進Bit列を作成し、作成された２進Bit列を乱数として使用する。
【発明の効果】
【０００７】
上記の手法を用いることで、偏りの少ない質の良い乱数を作成することが出来、本発明の目的は達成される。
【発明を実施するための最良の形態】
【０００８】
次に、本発明の詳細を実施例の記述に従って説明する。
【実施例１】
【０００９】
本発明を最もよく表す図を図２に挙げ、図２における印刷濃度測定法を説明する。
【００１０】
図２は図１の測定回路を使用して、光ダイオードから発生する光を記録紙面に照射し、その反射光をフォトトランジスタで受光しながら走査キャリッジを動作したときのAD値変化を表すグラフであり、図の２１の縦軸はAD値を示し、図の２２は走査キャリッジ移動量を示し、図の２３の星印は記録紙を反射型光学センサでセンスしたときの各測定位置でのAD値を示しており、図の２４は第一測定ポイントでのAD値を表す線であり、図の２５は各測定点AD値を第一測定点AD値２４と比較し、第一測定点AD値２４以上であれば"1"、第一測定点AD値２４未満であれば"0"として作成した２進Bit列を表す。図に示す通り各測定点でのAD値は700〜500の間で偏るものの、２進Bit列２５は、測定ごとにAD入力信号ノイズ、紙の表面のザラツキ具合等により予測できない変化をすることから、偏りの少ない質の良い乱数として利用できる。
【図面の簡単な説明】
【００１１】
【図１】印刷濃度測定の基本原理を実現する電気回路例
【図２】本発明を説明するためのグラフ
【符号の説明】
【００１２】
１１  電源電圧
１２  基準電位
１３  走査キャリッジ上に配置される発光ダイオード
１４  発光ダイオード制限抵抗
１５  走査キャリッジ上に配置されるフォトトランジスタ
１６  フォトトランジスタ光電流検出抵抗
１８  A/Dコンバータ
１９  VRef
１０１  GND
１０２  A/DIn
２１  AD値
２２  走査キャリッジ移動量
２３  各測定位置でのAD値
２４  第一測定ポイントでのAD値
２５  第一測定点AD値２４と比較との比較結果
【図１】
2007133758.tif 000003
【図２】
2007133758.tif 000004